(57)【要約】【課題】  アルカリ剤を用いる必要なくｐＨ調整を行なうことができ、海水の交換をする必要なく魚介類の養殖を行なうことができるようにする。【解決手段】  飼育水槽１の海水Ｓを浄化しながら循環させて飼育水槽１内で魚介類を飼育する閉鎖循環式養殖システムに関する。隔膜２で仕切られた陽極室３と陰極室４とを備え、飼育水槽１から供給される海水Ｓを電気分解する電解槽５を備える。また陽極室４から供給される海水Ｓ中の活性塩素を炭化剤６で中和する中和槽７と、の空間部１４が中和槽７内の空間部１５と連通され、水Ｗが貯溜された塩素除去槽１６と、中和槽７内の空間部１５の空気を塩素除去槽１６の水Ｗ中に噴出して曝気する散気管８と、陰極室４から供給される海水Ｓと中和槽７から供給される海水Ｓを混合して飼育水槽１に返送する混合槽９とを備えたｐＨ調整装置１００を具備する。海水Ｓの電気分解で、海水ＳのｐＨ調整を行なうことができる。【選択図】  図１
2006166850.tif 000002
【特許請求の範囲】
【請求項１】
飼育水槽の海水を浄化しながら循環させて飼育水槽内で魚介類を飼育するようにした閉鎖循環式養殖システムにおいて、隔膜で仕切られた陽極室と陰極室とを備え、飼育水槽から供給される海水を電気分解する電解槽及び、陽極室から供給される海水中の活性塩素を炭化剤で中和する中和槽と、水面より上の空間部が中和槽内の水面より上の空間部と連通され、水が貯溜された塩素除去槽と、中和槽内の空間部の空気を塩素除去槽の水中に噴出して曝気する散気管と、陰極室から供給される海水と中和槽から供給される海水を混合して飼育水槽に返送する混合槽とを備えてなるｐＨ調整装置を具備して成ることを特徴とする閉鎖循環式養殖システム。
【請求項２】
電解槽の隔膜をカチオン交換膜で形成し、陽極室を通過する通水量を陰極室を通過する通水量の１／２０以下に設定して成ることを特徴とする請求項１に記載の閉鎖循環式養殖システム。
【請求項３】
塩素除去槽に、水面より上が外部に開放された圧力調整槽を、水が流通する連通水路で接続して成ることを特徴とする請求項１又は２に記載の閉鎖循環式養殖システム。
【請求項４】
中和槽の炭化剤を攪拌する攪拌ポンプを備えて成ることを特徴とする請求項１乃至３のいずれかに記載の閉鎖循環式養殖システム。
【請求項５】
電解槽内の隔膜で仕切られる室の陽極と陰極を切り換える電極切替手段と、飼育水槽から電解槽の陽極室と陰極室とに海水を供給する流路を切り換える流路切替手段と、陽極室と陰極室から中和槽と混合槽に海水を供給する流路を切替える流路切替手段とを具備して成ることを特徴とする請求項１乃至４のいずれかに記載の閉鎖循環式養殖システム。
【請求項６】
中和槽を複数備え、陽極室から複数の中和槽のいずれかに海水を供給する流路を切替える流路切替手段を具備して成ることを特徴とする請求項１乃至５のいずれかに記載の閉鎖循環式養殖システム。
【請求項７】
隔膜で仕切られた陽極室と陰極室とを備え、海水を電気分解する電解槽と、陽極室から供給される海水中の活性塩素を炭化剤で中和する中和槽と、水面より上の空間部が中和槽内の水面より上の空間部と連通され、水が貯溜された塩素除去槽と、中和槽内の空間部の空気を塩素除去槽の水中に噴出して曝気する散気管と、陰極室から供給される海水と中和槽から供給される海水を混合する混合槽とを具備して成ることを特徴とするｐＨ調整装置。
【発明の詳細な説明】
【技術分野】
【０００１】
本発明は、陸上において、海水（人工海水を含む）を浄化しながら閉鎖系で循環させて再利用しながら、飼育水槽で魚介類を養殖したり一時的に蓄養したりするようにした閉鎖循環式養殖システム及びｐＨ調整装置に関するものである。
【背景技術】
【０００２】
海水面から離れた陸上地点で、食用あるいは鑑賞用の魚介類を飼育する閉鎖循環式養殖システムが従来から検討されている。この閉鎖循環式養殖システムでは、飼育魚介類の排泄物や残餌等を飼育水槽から除去する処理を、周辺環境への排出希釈によることなく、システム内で行なう必要がある。
【０００３】
このために、飼育水槽に海水を循環させる浄化用循環経路を接続し、この循環経路に物理的ろ過装置や生物浄化槽を設け、飼育水槽の海水を循環させる間に、魚介類の排泄物や残餌等の固形物を物理的ろ過装置においてろ過して除去し、さらに魚介類の排泄物に起因するアンモニアを生物浄化槽において硝化菌等の微生物で硝化して除去することによって、海水の浄化を行なうようにしている（例えば特許文献１等参照）。
【０００４】
このように魚介類の排泄物に起因する海水中のアンモニアを、硝化菌等の微生物で硝化して除去するようにすると、硝酸成分の生成によって海水のｐＨが低下し、魚介類の飼育環境が悪化する。そこで、ｐＨの低下を防ぐために海水にアルカリ剤を添加してｐＨ調整を行なうようにしている。
【特許文献１】特開平１１−２２５６１６号公報
【発明の開示】
【発明が解決しようとする課題】
【０００５】
上記のアルカリ剤としては、炭酸ナトリウム、水酸化ナトリウム、炭酸カルシウム等が用いられているが、アルカリ剤中のナトリウムやカルシウムが循環閉鎖系の海水中に蓄積され、塩分上昇、海水イオン成分のバランスのくずれが発生し、魚介類の飼育に不調をきたすおそれがあった。このため、循環閉鎖系の海水の交換なしでは、養殖継続は困難になるものであった。
【０００６】
本発明は上記の点に鑑みてなされたものであり、アルカリ剤を用いる必要なくｐＨ調整を行なうことができ、海水の交換をする必要なく魚介類の養殖を行なうことができる閉鎖循環式養殖システムを提供することを目的とするものであり、さらにアルカリ剤を用いる必要なくｐＨ調整を行なうことができるｐＨ調整装置を提供することを目的とするものである。
【課題を解決するための手段】
【０００７】
本発明の請求項１に係る閉鎖循環式養殖システムは、飼育水槽１の海水Ｓを浄化しながら循環させて飼育水槽１内で魚介類を飼育するようにした閉鎖循環式養殖システムにおいて、隔膜２で仕切られた陽極室３と陰極室４とを備え、飼育水槽１から供給される海水Ｓを電気分解する電解槽５及び、陽極室４から供給される海水Ｓ中の活性塩素を炭化剤６で中和する中和槽７と、水面より上の空間部１４が中和槽７内の水面より上の空間部１５と連通され、水Ｗが貯溜された塩素除去槽１６と、中和槽７内の空間部１５の空気を塩素除去槽１６の水Ｗ中に噴出して曝気する散気管８と、陰極室４から供給される海水Ｓと中和槽７から供給される海水Ｓを混合して飼育水槽１に返送する混合槽９とを備えてなるｐＨ調整装置を具備して成ることを特徴とするものである。
【０００８】
また請求項２の発明は、請求項１において、電解槽５の隔膜２をカチオン交換膜で形成し、陽極室３を通過する通水量を陰極室４を通過する通水量の１／２０以下に設定して成ることを特徴とするものである。
【０００９】
また請求項３の発明は、請求項１又は２において、塩素除去槽１６に、水面より上が外部に開放された圧力調整槽１９を、水が流通する連通水路１８で接続して成ることを特徴とするものである。
【００１０】
また請求項４の発明は、請求項１乃至３のいずれかにおいて、中和槽７内の炭化剤６を攪拌する攪拌ポンプ１０を備えて成ることを特徴とするものである。
【００１１】
また請求項５の発明は、請求項１乃至４のいずれかにおいて、電解槽５内の隔膜２で仕切られる室の陽極と陰極を切り換える電極切替手段１１と、飼育水槽１から電解槽５の陽極室３と陰極室４とに海水Ｓを供給する流路を切り換える流路切替手段１２と、陽極室３と陰極室４から中和槽７と混合槽９に海水Ｓを供給する流路を切替える流路切替手段１３とを具備して成ることを特徴とするものである。
【００１２】
また請求項６の発明は、請求項１乃至５のいずれかにおいて、中和槽７を複数備え、陽極室３から複数の中和槽７のいずれかに海水Ｓを供給する流路を切替える流路切替手段１７を具備して成ることを特徴とするものである。
【００１３】
本発明の請求項７に係るｐＨ調整装置は、隔膜２で仕切られた陽極室３と陰極室４とを備え、海水Ｓを電気分解する電解槽５と、陽極室４から供給される海水Ｓ中の活性塩素を炭化剤６で中和する中和槽７と、水面より上の空間部１４が中和槽７内の水面より上の空間部１５と連通され、水Ｗが貯溜された塩素除去槽１６と、中和槽７内の空間部１５の空気を塩素除去槽１６の水Ｗ中に噴出して曝気する散気管８と、陰極室４から供給される海水Ｓと中和槽７から供給される海水Ｓを混合する混合槽９とを具備して成ることを特徴とするものである。
【発明の効果】
【００１４】
電解槽５で海水Ｓを電気分解すると、隔膜２で仕切られた陽極室３では海水Ｓは酸性に、陰極室４では海水Ｓはアルカリ性になり、陽極室３の酸性の海水Ｓ中の塩素の一部は中和槽７の空間部１５に気化されると共に塩素除去槽１６内での散気管８による曝気で水Ｗ中に溶解して除去され、中和槽７内の海水ＳのｐＨは上昇する。そしてこの中和槽７から供給される海水Ｓと電解槽５の陰極室４から供給される海水Ｓを混合槽９で混合すると、混合した海水ＳのｐＨは電気分解する前の海水ＳのｐＨより上昇させることができ、ｐＨ調整をすることができるものである。
【００１５】
従って、このように混合槽９で混合してｐＨ調整した海水Ｓを飼育水槽１に返送することによって、アルカリ剤を用いるような必要なく、飼育水槽１の海水ＳのｐＨ調整を行なうことができるものであり、海水Ｓの交換をする必要なく魚介類の養殖を行なうことが可能になるものである。
【発明を実施するための最良の形態】
【００１６】
以下、本発明を実施するための最良の形態を説明する。
【００１７】
図１は本発明の実施の形態の一例を示すものであり、魚介類が飼育される飼育水槽１には浄水用循環経路２０とｐＨ調整用循環経路２１とが接続してある。浄水用循環経路２０には循環ポンプ２２、ろ過槽２３、生物浄化槽２４が水の流れに沿った順に接続してあり、循環ポンプ２２の働きで、飼育水槽１の海水Ｓはろ過槽２３と生物浄化槽２４を通過した後に飼育水槽１に返送されるというように、浄化用循環経路２０を通して循環させるようにしてある。そして魚介類の排泄物や残餌等の固形物はろ過槽２３においてろ過して除去し、また魚介類の排泄物に起因するアンモニアは生物浄化槽２４において硝化菌等の微生物で硝化して除去し、飼育水槽１の海水Ｓを浄化するようにしてある。
【００１８】
一方、ｐＨ調整用循環経路２１には、流路切替手段１２を構成する電磁式の切替弁１２ａ、電解槽５、流路切替手段１３を構成する電磁式の切替弁１３ａ、中和槽７、混合槽９が水の流れに沿った順に接続して、ｐＨ調整装置１００を形成するようにしてあり、ｐＨ調整用循環経路２１の適所には飼育水槽１の海水Ｓを循環させるための循環ポンプ（図示省略）が接続してある。
【００１９】
電解槽５の槽内は隔膜２で仕切って二つの室が形成してあり、各室内にはそれぞれ電極２５ａ，２５ｂが配置してある。そして電極２５ａ，２５ｂには直流電源２８が接続してあり、陽極に設定した電極２５ａが配置された室が陽極室３、陰極に設定した電極２５ｂが配置された室が陰極室４となるものである。切替弁１２ａと電解槽５の間のｐＨ調整用循環経路２１はパラレルな二つの流路２６ａ，２６ｂから形成してあり、一方の流路２６ａを切替弁１２ａと陽極室３の間に、他方の流路２６ｂを切替弁１２ａと陰極室４の間にそれぞれ接続するようにしてある。また電解槽５と切替弁１３ａの間のｐＨ調整用循環経路２１はパラレルな二つの流路２７ａ，２７ｂから形成してあり、一方の流路２７ａを陽極室３と切替弁１３ａの間に、他方の流路２７ｂを陰極室４と切替弁１３ａの間に接続するようにしてある。さらに切替弁１３ａより下流側のｐＨ調整用循環経路２１はパラレルな二つの流路３１ａ，３１ｂに分岐してあり、一方の流路３１ａは中和槽７の上部に接続してある。他方の流路３１ｂは混合槽９に接続してあり、また中和槽７の下部と混合槽９の間にｐＨ調整用循環経路２１の一部をなす流路３２が接続してある。
【００２０】
中和槽７内には陽極室３から海水Ｓが供給されるが、この海水Ｓ中に浸漬される状態で活性炭などの粒状の炭化剤６が入れてある。中和槽７には攪拌ポンプ１０が接続してあり、中和槽７内の海水Ｓを汲み出して戻すというように循環させることによって、中和槽７内の海水Ｓを攪拌するようにしてある。中和槽７内の海水Ｓの水面より上の空間部１５に開口するように空気供給路３５の一端が接続してある。
【００２１】
この中和槽７に隣接して塩素除去槽１６が配置してあり、塩素除去槽１６内には水道水などの水Ｗが入れてある。塩素除去槽１６内には水Ｗ中に浸漬されるように散気管８が配置してあり、この散気管８には上記の空気供給路３５の他端が接続してある。空気供給路３５の途中にはエアポンプ２９が設けてあり、中和槽７の空間部１５の空気をエアポンプ２９で吸引して散気管８から水Ｗ中に吐出するようにしてある。また中和槽７内の空間部１５と、塩素除去槽１６内の水Ｗの水面より上の空間部１４とに一端と他端が開口するように、中和槽７と塩素除去槽１６との間に連通空気路３７が接続してある。中和槽７と塩素除去槽１６は密閉構造に形成してあり、中和槽７の密閉された空間部１５と塩素除去槽１６の密閉された空間部１４はこの連通空気路３７を介して連通する密閉空間を形成するようになっている。
【００２２】
またこの塩素除去槽１６に隣接して圧力調整槽１９が配置してあり、圧力調整槽１９内には水Ｗが入れてある。塩素除去槽１６と圧力調整槽１９の底部間には水Ｗの水面より下側において連通水路１８が接続してあり、水Ｗの水面より上において圧力調整槽１９の上部には開放口３０を開口して設けてある。従って、塩素除去槽１６内の水Ｗと圧力調整槽１９内の水Ｗは連通水路１８を通して連通しており、塩素除去槽１６内の水Ｗの水面の上下に応じて圧力調整槽１９内の水Ｗの水面が上下するようになっている。
【００２３】
上記のものにあって、飼育水槽１の海水Ｓは切替弁１２ａを通して電解槽５に供給されるが、海水Ｓは切替弁１２ａで流路２６ａ，２６ｂに分岐されて陽極室３と陰極室４を通過し、この際に電気分解される。このように電気分解を行なうことによって、陽極室３を通過する海水Ｓは酸性に、陰極室４を通過する海水Ｓはアルカリ性に調整されるものであり、陽極室３では陽極反応によって、海水Ｓ中の食塩から次亜塩素酸（ＨＣｌＯ）や塩素（Ｃｌ２）などの活性塩素が生成される。ここで、切替弁１２ａ内の水路の径の設定によって、切替弁１２ａから流路２６ａを通過して陽極室３に流される海水Ｓの通水量が、切替弁１２ａから流路２６ｂを通過して陰極室４に流される海水Ｓの通水量の１／２０以下になるようにしてある。このように陽極室３の通水量を少なくすることによって、陽極室３で生成される酸性水のｐＨを４以下にすることができる。陰極室４に流される海水Ｓの通水量に対する陽極室４に流される海水Ｓの通水量の下限は特に設定されないが、１／１００程度が装置の実用上の限界である。
【００２４】
ここで、電解槽５の陽極室３と陰極室４を仕切る隔膜２としては、カチオン交換膜を用いるのが好ましい。海水Ｓを電気分解することによって陽極室３に生成される次亜塩素酸（ＨＣｌＯ）や塩素（Ｃｌ２）などの活性塩素は魚毒作用があるが、陰極室４を通過する海水Ｓは後述のように飼育水槽１に返送されるので、陰極室４を通過する海水Ｓにこの活性塩素が混入すると飼育水槽１中の魚介類に悪影響を及ぼすおそれがある。カチオン交換膜はこのような活性塩素を通過させないので、陽極室３で生成された活性塩素が陰極室４の海水Ｓに混入することを防いで、飼育水槽１中の魚介類に悪影響を及ぼすことを未然に防止することができるものである。
【００２５】
上記のように電解槽５で電解された陽極室３の酸性の海水Ｓは流路２７ａから切替弁１３ａを通過し、さらに流路３１ａから中和槽７に供給される。また陰極室４のアルカリ性の海水Ｓは流路２７ｂから切替弁１３ａを通過し、さらに流路３１ｂから混合槽９に供給される。
【００２６】
そして陽極室３から酸性の海水Ｓが中和槽７に供給されると、中和槽７内の活性炭などの炭化剤６によって、海水Ｓ中の次亜塩素酸（ＨＣｌＯ）や塩素（Ｃｌ２）などの活性塩素が還元されて中和され、魚毒作用を有するこれらの活性塩素は、魚毒性のない塩酸（ＨＣｌ）に変換される。このとき、海水Ｓを炭化剤６に接触させて活性塩素を塩酸に変換させる還元中和反応は、海水ＳのｐＨが４以下であるときに効果的に行なわれる。このために、上記のように陽極室３の通水量を少なくして海水ＳのｐＨが４以下になるようにしているのである。また陽極室３の電気分解で、海水Ｓ中に微量含まれる臭素から臭素酸（ＨＢｒＯ３）が生成されており、この臭素酸も魚毒作用を有するが、ｐＨ４以下で海水Ｓを炭化剤６に接触させることによって、この臭素酸を魚毒性のない臭化水素（ＨＢｒ）に中和して変換することができるものである。海水ＳのｐＨが４を超えて大きいと、有機塩素化物や臭素化物ができ易くなるものである。さらにこのようにｐＨが低く酸性度が高いと、中和槽７内での微生物の繁殖を抑制することができ、中和槽７が微生物の繁殖による生物膜で詰まるというようなこともなくなるものである。
【００２７】
ここで上記のように、中和槽７に攪拌ポンプ１０を接続して、中和槽７内の海水Ｓを汲み出して戻すというように循環させることによって、中和槽７内の海水Ｓを攪拌するようにしてある。このように中和槽７内の海水Ｓを攪拌することによって、海水Ｓ中で炭化剤６を攪拌することができるものであり、海水Ｓと炭化剤６との接触効率を高めて上記の中和反応を効率良く行なうことができ、炭化剤６の使用量を低減することができると共に中和槽７内の海水Ｓの滞留時間を短くして、中和槽７を小型化することが可能になるものである。
【００２８】
また上記のように、中和槽７の空間部１５の空気をエアポンプ２９で吸引して散気管８から、塩素除去槽１６内の水Ｗ中に吐出するようにしてある。中和槽７に供給される海水Ｓに溶解している塩素（Ｃｌ２）の一部は気化して空間部１５の空気中に存在しているが、空間部１５の空気を塩素除去槽１６の水Ｗに吐出する際に、この気化した塩素ガスは空間部１５の空気と共に水Ｗ中に吐出して曝気されるものであり、塩素ガスの一部を塩素除去槽１６の水Ｗ中に溶解させることができる。このとき、中和槽７の空間部１５の空気が塩素除去槽１６内に吐出されるのに伴って、塩素除去槽１６の空間部１４の空気が連通空気路３７を通して中和槽７の空間部１５に移行し、塩素除去槽１６の空間部１４内の気圧が高くならないようにしてある。
【００２９】
そしてこのように中和槽７の空間部１５の塩素ガスが塩素除去槽１６内の水Ｗに溶解すると、中和槽７の空間部１５の塩素ガスの分圧が低くなるので、中和槽７内の海水Ｗ中の塩素が気化して空間部１５に放出される。従って、中和槽７内の海水Ｓ中に溶解して含まれる塩素（Ｃｌ２）の一部をガスとして海水Ｓ中から放出して、海水Ｓ中から除去することができるものである。このように中和槽７内の海水Ｓ中の塩素の一部を除去することによって、海水Ｓを炭化剤６に接触させて海水Ｓ中の塩素（Ｃｌ２）を塩酸（ＨＣｌ）に変換させる際の塩酸の生成量は少なくなる。従って、この塩酸の生成量の低下に伴って、中和槽７内の海水ＳのｐＨは上昇する。このとき、上記のように流路３１ａを中和槽７の上部に接続して、海水Ｓが中和槽７内に流れ落ちるようにすることによって、この流入の際の曝気効果で海水Ｓ中の塩素の一部を追い出して空間部１５に放出することができ、海水Ｓ中からの塩素の除去効率を高めることができるものである。流路３１ａから海水Ｓが中和槽７内に流れ落ちるようにするにあたっては、中和槽７の槽内壁に沿って海水Ｓを流下させるようにしても、中和槽７の水面より上の空間部１５を落下させて海水Ｓを滴下させるようにしてもいずれでもよい。
【００３０】
ここで、中和槽７の空間部１５や塩素除去槽１６の空間部１４は密閉された空間であり、海水Ｓ中から放出された塩素ガスは中和槽７や塩素除去槽１６内に閉じ込められているものである。従って、塩素ガスを外部空間に放出する場合のように環境空気が塩素ガスで汚染されることを防ぐことができるものである。また連通空気路３７を通して中和槽７の空間部１５と塩素除去槽１６の空間部１４は連通しており、中和槽７の空間部１５や塩素除去槽１６の空間部１４の気圧が高くならないようにしてあるが、中和槽７への急激な海水Ｓの流入などで、中和槽７の空間部１５や塩素除去槽１６の空間部１４の気圧が大気圧よりも高くなると、塩素除去槽１６内の水Ｗが連通水路１８を通して、開放口３０で大気に開放された圧力調整槽１９内に移行し、塩素除去槽１６内の水Ｗの水位が下がって空間部１４の容積が大きくなり、中和槽７の空間部１５や塩素除去槽１６の空間部１４の気圧を下げる圧力調整を行なうことができるものである。従って、中和槽７や塩素除去槽１６が急激な圧力上昇で破損されたりすることを防ぐことができるものである。
【００３１】
そして電解槽５の陽極室３で電解された酸性の海水Ｓは上記のように中和槽７で処理された後、流路３２を通して混合槽９に供給される。混合槽９には上記のように陰極室４で電解されたアルカリ性の海水Ｓが供給されているので、混合槽９内でこのアルカリ性の海水Ｓに酸性の海水Ｓが混合される。このとき、陽極室３で電解された酸性の海水Ｓは上記のように中和槽７内で塩素の一部が除去され、ｐＨが高められている。従って、混合槽９内で混合した海水ＳのｐＨは、飼育水槽１から電解槽５に送られる電気分解前の海水ＳのｐＨよりも高くなり、ｐＨを高めた状態で混合槽９から飼育水槽１に返送されるものである。
【００３２】
このようにして、飼育水槽１の海水Ｓを、ｐＨを高めた状態で混合槽９から飼育水槽１に返送するようにｐＨ調整循環経路２１で循環させることによって、飼育水槽１内の海水ＳのｐＨが低下することを防ぐｐＨ調整を行なうことができるものである。中和槽７内での海水ＳのｐＨ上昇は散気管８による曝気量や曝気時間によって調整することができるものであり、この曝気量や曝気時間の調整によって、飼育水槽１内の海水ＳのｐＨ調整を正確に行なうことが可能である。そしてｐＨ調整はこのように電気分解で行なうことができ、アルカリ剤の添加をする必要がないので、アルカリ剤中に含まれるナトリウムやカルシウムが海水Ｓ中に蓄積されて、塩分上昇や海水Ｓのイオン成分のバランスのくずれが発生するようなことがなく、海水Ｓを交換をするような必要がなくなるものである。
【００３３】
ここで、上記のように電解槽５で海水Ｓを電気分解すると、陰極に水酸化マグネシウムなどが析出し、このまま放置すると電極が析出物で覆われ、電流値が低下して電気分解の効率が低下し、場合によっては電解槽５内が閉塞されることもある。そこで、電解槽５に設けられる電極２５ａ，２５ｂはタイマー付き切替えスイッチなどで形成される電極切替手段１１を介して直流電源２８に接続してあり、所定時間毎あるいは所定通水流量毎に電極２５ａ，２５ｂの陽極と陰極が切替えられるようにしてある。図１の実施の形態では、電極２５ａを陽極、電極２５ｂを陰極に設定して、陽極室３と陰極室４が形成されるようにしてあるが、電極２５ａを陰極、電極２５ｂを陽極に切替えると、室３が陰極室に、室４が陽極室となる。
【００３４】
そしてこのように電極切替手段１１で陽極と陰極を切替えると、これに連動して、流路切替手段１２の切替弁１２ａと流路切替手段１３の切替弁１３が切り替わり、室３と室４への通水流量が上記と逆になり、また陽極室となる室４から中和槽７に海水Ｓが供給されると共に陰極室となる室３から混合槽９に海水Ｓが供給されるようになる。このようにして上記と同様にして海水Ｓの電解分解によるｐＨ調整を行なうことができるものであり、電極の陰陽の切替によって電極の表面に析出した水酸化マグネシウムを海水Ｓに溶解させ、電極が析出物で被覆されることを防ぐことができるものである。
【００３５】
図２は本発明の他の実施の形態を示すものであり、中和槽７を複数槽（図２の実施の形態では２槽）用いるようにしたものである。このものでは、切替弁１３ａに接続される流路３１ａに流路切替手段１７を構成する電磁式の切替弁１７ａを設けて、中和槽７の個数分の本数の流路４０ａ，４０ｂをこの切替弁１７ａから分岐させ、各中和槽７に流路４０ａ，４０ｂをそれぞれ接続するようにしてある。また各中和槽７は塩素除去槽１６と連通空気路３７でそれぞれ接続してあると共に、空気供給路３５、エアポンプ２９、散気管８によって各中和槽７の空間部１５の空気を塩素除去槽１６に送って吐出させるようにしてある。さらに各中和槽７と混合槽９はそれぞれ流路３２で接続してある。その他の構成は図１のものと同じである。このものにあって、切替弁１７ａは、複数の流路４０ａ，４０ｂのうち一つの流路４０ａ，４０ｂを流路３１ａと連通させると共に他の流路４０ａ，４０ｂと流路３１ａとの連通を遮断するように、流路３１ａと流路４０ａ，４０ｂとの連通を切替えるものであり、所定時間毎にあるいは所定通水量毎に自動的に切替が行なわれるようにしてある。
【００３６】
そして、電解槽５の陽極室４から送り出される酸性の海水Ｓは流路２７ａ、切替弁１３ａから流路３１ａを通り、切替弁１７ａを通過して一つの流路４０ａからこの流路４０ａが接続された中和槽７に供給される。また切替弁１７ａが切り替わると、酸性の海水Ｓは他の流路４０ｂからこの流路４０ｂが接続された中和槽７に供給される。このように複数の中和槽７に順に酸性の海水Ｓが、所定時間毎にあるいは所定通水量毎に供給されるものであり、酸性の海水Ｓは各中和槽７で塩素の中和や除去の作用を受ける。ここで、電解槽５の陽極室４から送り出される海水Ｓの量と、各中和槽７から送り出されて混合槽９に供給される海水Ｓの総量は等しく設定されるので、複数の各中和槽７から混合槽９に送り出される海水Ｓの量は、陽極室４から各中和槽７に送り出される海水Ｓの量よりも少なくなり、各中和槽７内での海水Ｓの滞留時間を長くすることができる。従って、中和槽７において酸性の海水Ｓの中和による魚毒成分の除去や、塩素の除去によるｐＨ調整を効率高く行なうことができるものである。また、中和槽７内の活性炭などの炭化剤６を入れ替える場合など、中和槽７のメンテナンスを行なう際に、メンテナンスを行なう中和槽７のみ運転を停止して他の中和槽７の運転を継続するようにすれば、ｐＨ調整のシステムの全体を停止させるが必要なくなるものである。
【００３７】
尚、上記のように本実施形態においては、ｐＨ調整装置１００を備えた閉鎖循環式養殖システムを例示しているが、ｐＨ調整装置１００は、閉鎖循環式養殖システムの飼育水槽１からの海水に限らず、所望の海水に対してアルカリ剤を用いずにｐＨ調整を行なうことができるものである。
【図面の簡単な説明】
【００３８】
【図１】本発明の実施の形態の一例を示す概略図である。
【図２】本発明の他の実施の形態の一例を示す概略図である。
【符号の説明】
【００３９】
１  飼育水槽
２  隔膜
３  陽極室
４  陰極室
５  電解槽
６  炭化剤
７  中和槽
８  散気管
９  混合槽
１０  攪拌ポンプ
１１  電極切替手段
１２  流路切替手段
１３  流路切替手段
１４  空間部
１５  空間部
１６  塩素除去槽
１７  流路切替手段
１８  連通水路
１９  圧力調整槽
１００  ｐＨ調整装置
【図１】
2006166850.tif 000003
【図２】
2006166850.tif 000004